(57)【要約】【課題】壁面のスイッチを操作することなく１台の照明器具ごとに点灯のオンオフすることができると共に、多灯式の照明器具の他の照明管をオンオフすることができる照明管を提供する。【解決手段】多灯式の直管形照明器具の１灯として装着される直管形照明管１は、直管形照明器具に装着される全部を点灯させる配線（配線Ｗ２）と、他の直管形照明管のみを点灯させる配線（配線Ｗ１）、全部を消灯させる配線（配線Ｗ３）とを切り替えるスイッチ手段６が設けられている。このスイッチ手段６は、ロータリースイッチＳＷ１により形成されていることで、配線Ｗ１から配線Ｗ３へ、そして再び配線Ｗ１へと、順次切り替えることができるのでスムーズに操作することができる。【選択図】図２
2013089459.tif 000002
【特許請求の範囲】
【請求項１】
多灯式の照明器具の１灯として装着される照明管であって、
前記直管形照明器具に装着される他の照明管を点灯させる配線と、全部を消灯させる配線とを切り替えるスイッチ手段が設けられたことを特徴とする照明管。
【請求項２】
前記他の照明管を点灯させる配線は、全部を点灯させる配線と、他の照明管のみを点灯させる配線であり、
前記スイッチ手段は、３通りの配線を切り替えるものである請求項１記載の照明管。
【請求項３】
前記スイッチ手段は、ロータリースイッチにより形成されている請求項１または２記載の照明管。
【発明の詳細な説明】
【技術分野】
【０００１】
本発明は、多灯式の照明器具に装着される蛍光式またはＬＥＤ式の照明管に関するものである。
【背景技術】
【０００２】
オフィスや工場等の多数の照明器具を使用する場所では、壁面に設けられているスイッチ１つにつき、通常、複数の照明器具をオンオフするようになっている。したがって、複数の照明器具のうち、任意の不要な照明器具のみをオンオフすることができず、スイッチごとに複数の照明器具をオンオフするか、予め点灯しないように照明器具を取り外しておくかしなければならない。特に、照明管のうち一般的な直管型照明管を２灯使用する２灯式の直管形照明器具では、２灯のうち片方の照明管のみを壁面スイッチによりオンオフすることは不可能であるため、節電をするためには予め１灯を取り外すなどしておく必要がある。
【０００３】
蛍光灯にスイッチを設け、オンオフすることができるものとして、例えば、特許文献１，２に記載されたものが知られている。
特許文献１には、球形のグローブ内に収納された３本の非直線形蛍光管にそれぞれにスライドスイッチを設け、３本の蛍光管を点灯したり非点灯としたりすることで３段階の明るさに調光することができ電球口金型蛍光ランプが記載されている。
【０００４】
特許文献２には、頂部にＥ形口金を有し、内部にランプ点灯手段が収納された樹脂製の箱型本体に、点灯・滅灯するためのプッシュ式またはランプ点滅操作用引紐を有するプル式のスイッチを設けた、電球口金形蛍光ランプが記載されている。
【０００５】
また、光源としてＬＥＤ素子を用いた直管蛍光灯型ＬＥＤ照明器であるが、例えば、特許文献３に記載されたものが知られている。
特許文献３には、電源変換部およびＬＥＤ回路基板を収容するＬＥＤ管と、ＬＥＤ管の両端に嵌め込まれ灯器具からの交流電源が供給される電源接続部とを備え、電源変換部への電源の供給または遮断させるスイッチ部を電源接続部に設けた直管蛍光灯型ＬＥＤ照明器が記載されている。この特許文献３では、グロータイプの灯器具に取り付ける場合と、ラピッドタイプの灯器具に取り付ける場合との回路構成が、それぞれ記載されている。
【先行技術文献】
【特許文献】
【０００６】
【特許文献１】実開昭６２−１０３１１０号公報
【特許文献２】実開平１−１６０６１４号公報
【特許文献３】実用新案登録第３１６７８５１号公報
【発明の概要】
【発明が解決しようとする課題】
【０００７】
照明器具としては、グロー管を用いたグロースタート式やラピッドスタート式、インバータ式などがある。グロースタート式の照明器具でも２灯式のものは、１灯を取り外しても、もう１灯は点灯するが、ラピッドスタート式では、２灯が直列接続されているため、１灯を取り外してしまうと、もう１灯も消灯してしまう。
従って、特許文献１〜３の従来の照明管をラピッドスタート式の照明器具に装着した場合には、１灯だけを消灯しようとしてスイッチをオフすると、１灯だけでなく他の１灯も消灯してしまう。
【０００８】
そこで本発明は、壁面のスイッチを操作することなく１台の照明器具ごとに点灯のオンオフすることができると共に、多灯式の照明器具の他の照明管をオンオフすることができる照明管を提供することを目的とする。
【課題を解決するための手段】
【０００９】
本発明は、多灯式の照明器具の１灯として装着される照明管であって、前記直管形照明器具に装着される他の照明管を点灯させる配線と、全部を消灯させる配線とを切り替えるスイッチ手段が設けられたことを特徴とする。
【００１０】
本発明によれば、他の照明管を点灯させる配線と全部を消灯させる配線とを切り替えるスイッチ手段が設けられているので、全部を消灯させたり、他の照明管を点灯させたりすることができる。従って、本発明の照明管が、蛍光灯や蛍光灯型ＬＥＤ照明管、自発光しないダミー管であっても、他の照明管を点灯させる配線と全部を消灯させる配線とを切り替えるスイッチ手段が設けられていれば、壁面のスイッチを操作することなく、個々の直管形照明器具のオンオフを操作することができる。
【００１１】
前記他の照明管を点灯させる配線は、全部を点灯させる配線と、他の照明管のみを点灯させる配線であり、前記スイッチ手段は、３通りの配線を切り替えるものであるのが望ましい。本発明の照明管が蛍光灯や蛍光灯型ＬＥＤ照明管のような自発光するものであっても、他の照明管を点灯させる配線を、全部を点灯させる配線と、他の照明管のみを点灯させる配線としているため、スイッチにより、全部を点灯させたり、他の照明管のみを点灯させたりすることができる。
【００１２】
前記スイッチ手段を、ロータリースイッチにより形成すると、切り換えの回転が１周すると元の配線の接続に戻るので、順に配線を切り替えることができる。従って、点灯・消灯の切り換えの操作性を向上させることができる。
【発明の効果】
【００１３】
本発明によれば、他の照明管を点灯させる配線と全部を消灯させる配線とを切り替えるスイッチ手段が設けられているので、壁面のスイッチを操作することなく、個々の直管形照明器具のオンオフを操作することができると共に、多灯式の照明器具の他の照明管をオンオフすることができる。
【図面の簡単な説明】
【００１４】
【図１】本発明の実施の形態１に係る直管形照明管を示す図である。
【図２】図１に示す直管形照明管のスイッチ手段に接続する配線を説明するための図である。
【図３】図２に示すスイッチ手段を２回路３接点のロータリースイッチとした場合を説明するための図である。
【図４】本発明の実施の形態２に係る直管形照明管を示す図である。
【図５】図４に示す直管形照明管のスイッチ手段を２回路３接点のロータリースイッチとしたときの配線を説明するための図である。
【図６】本発明の実施の形態２に係る他の直管形照明管を示す図である。
【図７】図６に示す直管形照明管のスイッチ手段を４回路３接点のロータリースイッチとしたときの配線を説明するための図である。
【発明を実施するための形態】
【００１５】
（実施の形態１）
本発明の実施の形態１に係る照明管の一例である直管形照明管について、図面に基づいて説明する。
図１に示すように、直管形照明管１は、２灯式の直管形照明器具に装着される蛍光灯である。
【００１６】
直管形照明管１は、直線円筒形状に形成されたガラスバルブ２と、ガラスバルブ２の両端に設けられた一対の口金３１，３２とを備えている。ガラスバルブ２の内側面には、蛍光体（図示せず）が付与されている。
【００１７】
それぞれに口金３１，３２には、直管形照明器具に設けられた一対のソケットに嵌め込まれる２本の電極４が設けられている。また、口金３１，３２の内部には、一対のフィラメント５が設けられている。
【００１８】
一対の口金３１，３２のうち一方の口金３１には、スイッチ手段６が設けられている。本実施の形態１では、スイッチ手段６の一例であるロータリースイッチを使用している。スイッチ手段６には、吊り下げ紐７が取り付けられている。
【００１９】
ここで、スイッチ手段６が切り替える配線について、スイッチ手段６をロータリースイッチＳＷ１として、図２に基づいて説明する。なお、図２に示すロータリースイッチＳＷ１は、円周上にそれぞれの接点が設けられ、中心軸を回転軸として導体が回転して対向する接点同士を導通するように記載されているが、これは構造を示すものではなく、電気的な接続を示すものである。
【００２０】
接点Ａ１は、フィラメント５の一端と接続された一方の電極４１に接続され、直管形照明器具に設けられた安定器８の一方の出力Ｐ１に接続される。接点Ａ１と対をなす接点Ａ２は、他方の電極４２に接続され、安定器８の他方の出力Ｐ２に接続される。以下、接点Ａ１，Ａ２に接続された配線を配線Ｗ１と称す。
接点Ｂ１は、フィラメント５の他端に接続されている。接点Ｂ１と対をなす接点Ｂ２は、安定器８の他方の出力Ｐ２に接続された接点Ａ２と接続されている。以下、接点Ｂ１，Ｂ２に接続された配線を配線Ｗ２と称す。
そして、接点Ｃ１と、接点Ｃ１と対をなす接点Ｃ２は開放である。以下、接点Ｃ１，Ｃ２を開放状態とする配線を配線Ｗ３と称す。
【００２１】
このように配線されたロータリースイッチＳＷ１の吊り下げ紐７を引くと、引く度に接点Ａ１−接点Ａ２、接点Ｂ１−接点Ｂ２、接点Ｃ１−接点Ｃ２の順に導通の接続が切り替わり、更に吊り下げ紐７を引くと接点Ａ１−接点Ａ２へ戻る。
【００２２】
接点Ａ１と接点Ａ２とが導通状態であるときには、安定器８の一方の出力Ｐ１と他方の出力Ｐ２とが接続される。従って、フィラメント５へは電流が流れないため、直管形照明管１は点灯しないが、擬似的に装着状態を再現しているため、他の直管形照明管（図示せず）は点灯状態となる。つまり、接点Ａ１と接点Ａ２との導通は、他の直管形照明管のみを点灯させる配線を選択するものである。
【００２３】
接点Ｂ１と接点Ｂ２とが導通状態であるときには、安定器８の一方の出力Ｐ１とフィラメント５の一端とが接続され、安定器８の他方の出力Ｐ２とフィラメント５の他端とが接続された状態となるため通常の接続状態となる。従って、フィラメント５へ電流が流れることで、直管形照明管１は点灯して、他の直管形照明管も点灯する。つまり、接点Ｂ１と接点Ｂ２との導通は、全部の直管形照明管を点灯させる配線を選択するものである。
【００２４】
接点Ｃ１と接点Ｃ２とが導通状態であるときには、フィラメント５の一端しか安定器８の一方の出力Ｐ１に接続されないため、安定器８の他方の出力Ｐ２は開放状態となるため、直管形照明管１は点灯せず、擬似的に非装着状態を再現しているため、他の直管形照明管も点灯しない。つまり接点Ｃ１と接点Ｃ２との導通は、全部の直管形照明管を消灯させる配線を選択するものである。
【００２５】
このように、他の直管形照明管を点灯させる配線（配線Ｗ１，Ｗ２）と全部を消灯させる配線（配線Ｗ３）とを切り替えるスイッチ手段６が設けられているので、直管形照明器具の全部を消灯させたり、他の直管形照明管を点灯させたりすることができる。従って、直管形照明管１は、壁面のスイッチを操作することなく１台の照明器具ごとに点灯のオンオフすることができると共に、多灯式の照明器具の他の直管形照明管をオンオフすることができる。
また、多灯式の照明器具の直管形照明管を点灯させる配線を、全部を点灯させる配線（配線Ｗ２）と、他の直管形照明管のみを点灯させる配線（配線Ｗ１）としているため、スイッチ手段６により、全部を点灯させたり、他の直管形照明管のみを点灯させたりすることができる。
【００２６】
図２に示すロータリースイッチＳＷ１では、接点Ａ１−接点Ａ２から接点Ｂ１−接点Ｂ２へ、また、接点Ｂ１−接点Ｂ２から接点Ｃ１−接点Ｃ２へ同時に切り替わる。このようなロータリースイッチＳＷ１は、円周上に配置された対向する固定接点同士を中央で回転するローターと称される導体が導通するような機構を持つものとすることができる。しかし、このような順次接続が切り替わるロータリースイッチが調達できないときには、例えば、２回路３接点のロータリースイッチを用いて図３に示すように配線することで実現することができる。
【００２７】
図３に示すロータリースイッチＳＷ１は回路記号で示している。このロータリースイッチＳＷ１は中心軸が可動接点で、円周上に固定接点が１２０°ごとに配置され、可動接点が回転して固定接点に導通するものである。
図３に示すように、１回路目の可動接点（摺動子）を接点Ａ１とし、３つの固定接点のうちの１番目の可動接点を接点Ａ２とする。また、２回路目の可動接点を接点Ｂ１とし、３つの固定接点のうちの２番目の固定接点を接点Ｂ２とする。接点Ｃ１，Ｃ２は未接続なので、図３に示す場合でも割り当てせず未接続である。
【００２８】
このように２回路３接点のロータリースイッチＳＷ１でも同様に各配線を切り替えることができる。なお、接点Ａ１，Ａ２は配線の接続が買わなければ入れ替わってもよい。また、接点Ｂ１，Ｂ２も同様である。
【００２９】
なお、本実施の形態１では、直管形照明管１を自発光する蛍光灯としたため、ロータリースイッチＳＷ１により、全部を点灯させる配線（配線Ｗ２）と、全部を消灯させる配線（配線Ｗ３）と、他の直管形照明管のみを点灯させる配線（配線Ｗ１）との３通りの配線を切り替えるようにしているが、省エネのために、１灯は外し、他の直管形照明管のみとしたい場合には、直管形照明管を自発光しないダミー管とすることができる。
【００３０】
直管形照明管をダミー管としたときには、配線Ｗ２を省略することができる。そして、ロータリースイッチとして、一対の接点を２組備えたものとすることで、吊り下げ紐７を引いたときでも無駄なポジションができずにスムーズに切り替えすることができる。
また、スイッチ手段は、ロータリースイッチだけでなく、スライドスイッチ、押しボタンスイッチ、トグルスイッチなどとすることもできるが、複数個のスイッチなったり、操作が複雑になったりするためスイッチ手段はロータリースイッチとするのが望ましい。
【００３１】
（実施の形態２）
本発明の実施の形態２に係る直管形照明管について、図面に基づいて説明する。
本実施の形態２に係る直管形照明管はＬＥＤを発光手段とし、このＬＥＤを点灯させるための電源部を備えた照明管である。なお、図４から図７においては、図１から図３と同じ構成のものは同符号を付して説明を省略する。
【００３２】
図４に示すように直管形照明管１０は、ＬＥＤが配列されたＬＥＤ発光部１１と、交流を直流へ変換する変換回路を内蔵した電源部１２とが、ガラスバルブ２に収納されている。
【００３３】
電源部１２へは、ガラスバルブ２の一方の端部に設けられた電極４（４１，４２）から電源が電源部１２へ供給されているため、電源部１２への２本の電源線を、図２に示すフィラメント５の２本の端子とすれば、スイッチ手段６は、図２に示すロータリースイッチＳＷ１とすることができる。
従って、図５のように配線することで、図４に示すスイッチ手段６を２回路３接点のロータリースイッチとすることができる。
【００３４】
また、図６に示す直管形照明管２０では、ガラスバルブ２の両方の端部に設けられた電極４から電源がスイッチ手段１４を介して電源部１３へ供給されているため、電源部１３への２本の２組の電源線を、図７に示すような４回路３接点のロータリースイッチＳＷ２とすることができる。但し、電源部１３の端子について、一方の電極４（４１，４２）から供給される端子を端子１３ａ，１３ｂとし、他方の電極４（４３，４４）から供給される端子を端子１３ｃ，１３ｄとして説明する。
【００３５】
図７に示すように、ロータリースイッチＳＷ２は、１回路目の可動接点を接点Ａ１として電極４１へ接続すると共に、電源部１３の端子１３ａへ接続する。１回路目の３つの固定接点のうちの１番目の固定接点を接点Ａ２とし、電極４２と接続する。２回路目の可動接点を接点Ｂ１とし、電源部１３の端子１３ｂへ接続する。２回路目の３つの固定接点のうちの２番目の固定接点を接点Ｂ２とし、接点Ａ２と接続された電極４２と接続する。
【００３６】
３回路目の可動接点を接点Ｃ１として電極４３へ接続すると共に、電源部１３の端子１３ｃへ接続する。３回路目の３つの固定接点のうちの１番目の固定接点を接点Ｃ２とし、電極４４と接続する。４回路目の可動接点を接点Ｄ１とし、電源部１３の端子１３ｄへ接続する。４回路目の３つの固定接点のうちの２番目の固定接点を接点Ｄ２とし、接点Ｃ２と接続された電極４４と接続する。
【００３７】
図７に示す配線を行い、ロータリースイッチＳＷ２と接続することで、両端の電極４から電源の供給を受ける直管形照明管であっても、全部を点灯させる配線と、全部を消灯させる配線と、他の直管形照明管のみを点灯させる配線との３通りの配線をロータリースイッチＳＷ２により切り替えることができる。
【００３８】
なお、本実施の形態１，２では２灯式の直管形照明器具を例に説明したが、本発明の直管形照明管は３灯以上の直管形照明器具でも装着することができる。この場合、他の直管形照明管を点灯させるときには、自身を除いた２灯以上が点灯することになる。
【産業上の利用可能性】
【００３９】
本発明の照明管は、グロースタート式（ＦＬ型）やラピッドスタート式（ＦＬＲ型）、インバータ式（ＨＦ型）などの直管形の他に、２本の照明管を結合させたＦＨＰ型などの照明器具に使用することができる。
【符号の説明】
【００４０】
１  直管形照明管
２  ガラスバルブ
３１，３２  口金
４，４１，４２，４３，４４  電極
５  フィラメント
６  スイッチ手段
７  吊り下げ紐
８  安定器
１０  直管形照明管
１１  ＬＥＤ発光部
１２，１３  電源部
１３ａ〜１３ｄ  端子
１４  スイッチ手段
２０  直管形照明管
ＳＷ１，ＳＷ２  ロータリースイッチ
Ａ１，Ａ２，Ｂ１，Ｂ２，Ｃ１，Ｃ２，Ｄ１，Ｄ２  接点
Ｐ１，Ｐ２  出力
Ｗ１，Ｗ２，Ｗ３  配線
【図１】
2013089459.tif 000003
【図２】
2013089459.tif 000004
【図３】
2013089459.tif 000005
【図４】
2013089459.tif 000006
【図５】
2013089459.tif 000007
【図６】
2013089459.tif 000008
【図７】
2013089459.tif 000009